(57)【要約】【課題】  ＥＣＣブロック同士のつなぎ目において、同期信号が連続していないフォーマットの再生時には、ＥＣＣブロックの区切りで直接検出モードに移行した後、慣性モードへの移行が次のＥＣＣブロック内であると、先頭のデータが正しく抽出できない。【解決手段】  セクタカウンタのカウント値が「ｍ」になったときに第２の特殊信号Ｓ２が検出されると、同期信号検出手段は、慣性モードから直接検出モードに移行する。その後、同期信号検出手段は、第１の特殊信号Ｓ１が検出されると、直接検出モードから慣性モードへ移行する。これにより、同期信号検出手段は、慣性モードのまま擬似同期信号を所定の数だけ挿入することなく、ＥＣＣブロックの終わりの部分にて、慣性モードから直接検出モードに移行するので、後続のＥＣＣブロックの先頭データに誤りを生ずることなく、安定した動作が可能となる。【選択図】            図２
2008181668.tif 000002
【特許請求の範囲】
【請求項１】
情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、前記ブロック内のうち、最初のセクタの前に第１の特殊信号が挿入されており、最後のセクタの後に前記同期信号のとり得るパターンの一つを有する第２の特殊信号が挿入されており、前記セクタの各々には該セクタ中に１回しか検出されるはずのない固有の特殊パターン信号が記録されている記録媒体から、前記同期信号を検出し、検出した同期信号に基づいて前記記録媒体から情報を再生する再生装置であって、
前記同期信号をパターンサーチによって検出する直接検出モードと、前記所定クロック数に同期させた同期検出用窓を生成し、この同期検出用窓部分において前記同期信号を検出する慣性モードのいずれかにより、前記記録媒体の再生信号から前記同期信号を検出する同期信号検出手段と、
前記記録媒体の再生信号から前記第１の特殊信号を検出して第１の特殊信号検出フラグを出力する第１の特殊信号検出手段と、
前記記録媒体の再生信号から前記特殊パターン信号を検出して特殊パターン検出フラグを出力する特殊パターン検出手段と、
前記記録媒体の再生信号から前記第２の特殊信号を検出して第２の特殊信号検出フラグを出力する第２の特殊信号検出手段と、
前記第１の特殊信号検出手段からの前記第１の特殊信号検出フラグでリセットされ、前記特殊パターン検出フラグを計数する計数手段と、
前記計数手段の計数値が前記ｍである期間内に、前記第２の特殊信号検出フラグが入力されたときに、特定位置検出フラグを前記同期信号検出手段へ出力する特定位置検出手段と、
を有し、
前記同期信号検出手段は、前記特定位置検出手段から前記特定位置検出フラグが供給されたときは、前記慣性モードから前記直接検出モードへ移行することを特徴とする再生装置。
【請求項２】
前記同期信号検出手段は、前記特定位置検出手段から前記特定位置検出フラグが供給されて前記慣性モードから前記直接検出モードへ移行した状態において、前記第１の特殊信号検出手段から前記第１の特殊信号検出フラグが供給されたときには、前記直接検出モードから前記慣性モードへ移行すると同時に、前記同期検出用窓の位置をフレームの最初の同期信号の推定位置に再設定することにより、前記ブロックの最初のフレーム以降の同期信号を前記慣性モードで検出する機能を更に有することを特徴とする請求項１記載の再生装置。
【請求項３】
前記同期信号検出手段は、
前記記録媒体から再生された第１の再生信号を所定時間遅延して第２の再生信号を出力する遅延回路と、
第１の再生信号用同期検出用窓内に前記第１の再生信号中の同期信号があるかどうか判定する第１の同期信号判定手段と、
第２の再生信号用同期検出用窓内に前記第２の再生信号中の同期信号があるかどうか判定する第２の同期信号判定手段と、
前記慣性モードにおいて前記第２の同期信号判定手段により検出された同期信号があると判定されたときには、その同期信号を出力し、前記第１の同期信号判定手段により検出された同期信号がないと判定されたときには前記所定のクロック数から推定される前記第２の再生信号中の同期信号の推定位置に一定回数擬似同期信号を挿入し、前記第１の同期信号判定手段により検出された同期信号があるときには、前記第２の再生信号中の同期信号の前記推定位置を過ぎても前記擬似同期信号を挿入しない同期信号出力手段と、
を有することを特徴とする請求項１又は２記載の再生装置。
【請求項４】
前記同期信号検出手段は、
前記記録媒体から再生された第１の再生信号を所定時間遅延して第２の再生信号を出力する遅延回路と、
第１の再生信号用同期検出用窓内に前記第１の再生信号中の同期信号があるかどうか判定する同期信号判定手段と、
前記慣性モードにおいて前記同期信号判定手段により検出された同期信号があると判定されたときには、その同期信号を出力し、前記同期信号判定手段により検出された同期信号がないと判定されたときには前記所定のクロック数から推定される前記第２の再生信号中の同期信号の推定位置に一定回数擬似同期信号を挿入し、前記同期信号判定手段により検出された同期信号があるときには、前記第２の再生信号中の同期信号の前記推定位置を過ぎても前記擬似同期信号を挿入しない同期信号出力手段と、
を有することを特徴とする請求項１又は２記載の再生装置。
【請求項５】
情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、前記ブロック内のうち、最初のセクタの前に第１の特殊信号が挿入されており、最後のセクタの後に前記同期信号のとり得るパターンの一つを有する第２の特殊信号が挿入されており、前記セクタの各々には該セクタ中に１回しか検出されるはずのない固有の特殊パターン信号が記録されている記録媒体から、前記同期信号を検出し、検出した同期信号に基づいて前記記録媒体から情報を再生する再生装置であって、
前記同期信号をパターンサーチによって検出する直接検出モードと、前記所定クロック数に同期させた同期検出用窓を生成し、この同期検出用窓部分において前記同期信号を検出する慣性モードのいずれかにより、前記記録媒体の再生信号から前記同期信号を検出する同期信号検出手段と、
前記記録媒体の再生信号を復号してデータ中に存在するセクタアドレスを抽出して前記同期信号検出手段へ出力するアドレス再生手段と、
前記記録媒体の再生信号から前記第１の特殊信号を検出して第１の特殊信号検出フラグを前記同期信号検出手段へ出力する第１の特殊信号検出手段と、
前記記録媒体の再生信号から前記第２の特殊信号を検出して第２の特殊信号検出フラグを前記同期信号検出手段へ出力する第２の特殊信号検出手段と、
を有し、
前記同期信号検出手段は、前記アドレス再生手段から前記ブロックの最後のセクタを示すセクタアドレスが入力されているときに、前記第２の特殊信号検出フラグが供給された時は、前記慣性モードから前記直接検出モードに移行し、前記直接検出モードの状態で前記第１の特殊信号検出フラグが供給された時は、前記慣性モードに移行することを特徴とする再生装置。
【請求項６】
情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、前記セクタの各々には該セクタ中に１回しか検出されるはずのない固有の特殊パターン信号が記録されている記録媒体から、前記同期信号を検出し、検出した同期信号に基づいて前記記録媒体から情報を再生する再生装置であって、
前記同期信号をパターンサーチによって検出する直接検出モードと、前記所定クロック数に同期させた同期検出用窓を生成し、この同期検出用窓部分において前記同期信号を検出する慣性モードのいずれかにより、前記記録媒体の再生信号から前記同期信号を検出する同期信号検出手段と、
前記記録媒体の再生信号を復号してデータ中に存在するセクタアドレスを抽出して前記同期信号検出手段へ出力するアドレス再生手段と、
前記記録媒体の再生信号から前記特殊パターン信号を検出して特殊パターン検出フラグを出力する特殊パターン検出手段と、
前記同期信号検出手段により検出された前記ブロック中の最初のセクタ中の先頭フレームの同期信号の検出出力でリセットされると共に、前記特殊パターン検出フラグを計数する計数手段と、
前記計数手段の計数値が前記ｍとなった時点、又は前記アドレス再生手段からの前記ブロック中の最後のセクタを示すセクタアドレス入力時点から一定時間経過後に前記同期信号検出手段を前記直接検出モードに制御し、該直接検出モード状態を該同期信号検出手段により前記ブロック中の最初のセクタ中の先頭フレームの同期信号が検出されるまで保持し、該最初のセクタ中の先頭フレームの同期信号が検出された時点から前記慣性モードに移行制御する制御手段と、
を有することを特徴とする再生装置。
【請求項７】
情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、前記ブロック内のうち、最初のセクタの前に第１の特殊信号が挿入されており、最後のセクタの後に前記同期信号のとり得るパターンの一つを有する第２の特殊信号が挿入されており、前記セクタの各々には該セクタ中に１回しか検出されるはずのない固有の特殊パターン信号が記録されている記録媒体から、前記同期信号を検出し、検出した同期信号に基づいて前記記録媒体から情報を再生する再生方法であって、
前記記録媒体の再生信号から前記第１の特殊信号を検出したときは第１の特殊信号検出フラグを出力し、前記第２の特殊信号を検出したときは第２の特殊信号検出フラグを出力する第１のステップと、
前記記録媒体の再生信号から前記特殊パターン信号を検出して特殊パターン検出フラグを出力する第２のステップと、
前記特殊パターン検出フラグを計数すると共に、前記第１の特殊信号検出フラグでリセットされる計数手段の計数値が前記ｍである期間内に、前記第２の特殊信号検出フラグが入力されたときに、特定位置検出フラグを出力する第３のステップと、
前記同期信号をパターンサーチによって検出する直接検出モードと、前記所定クロック数に同期させた同期検出用窓を生成し、この同期検出用窓部分において前記同期信号を検出する慣性モードのいずれかにより、前記記録媒体の再生信号から前記同期信号を検出する同期信号検出手段を、前記特定位置検出フラグが供給されたときは、前記慣性モードから前記直接検出モードへ移行するように制御する第４のステップと、
を含むことを特徴とする再生方法。
【請求項８】
情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、前記ブロック内のうち、最初のセクタの前に第１の特殊信号が挿入されており、最後のセクタの後に前記同期信号のとり得るパターンの一つを有する第２の特殊信号が挿入されており、前記セクタの各々には該セクタ中に１回しか検出されるはずのない固有の特殊パターン信号が記録されている記録媒体から、前記同期信号を検出し、検出した同期信号に基づいて前記記録媒体から情報を再生する再生方法であって、
前記記録媒体の再生信号を復号してデータ中に存在するセクタアドレスから、前記ブロックの最後のセクタを示すセクタアドレスを検出する第１のステップと、
前記記録媒体の再生信号から前記第２の特殊信号を検出して第２の特殊信号検出フラグを出力する第２のステップと、
前記同期信号をパターンサーチによって検出する直接検出モードと、前記所定クロック数に同期させた同期検出用窓を生成し、この同期検出用窓部分において前記同期信号を検出する慣性モードのいずれかにより、前記記録媒体の再生信号から前記同期信号を検出する同期信号検出手段を、前記ブロックの最後のセクタを示すセクタアドレスと前記第２の特殊信号検出フラグが共に供給されたときは、前記慣性モードから前記直接検出モードへ移行するように制御する第３のステップと、
前記記録媒体の再生信号から前記第１の特殊信号を検出して第１の特殊信号検出フラグを出力する第４のステップと、
前記直接検出モードで動作している前記同期信号検出手段を、前記第１の特殊信号検出フラグの入力により前記慣性モードへ移行する第５のステップと、
を含むを特徴とする再生方法。
【請求項９】
情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、前記ブロック内のうち、最初のセクタの前に第１の特殊信号が挿入されており、最後のセクタの後に前記同期信号のとり得るパターンの一つを有する第２の特殊信号が挿入されており、前記セクタの各々には該セクタ中に１回しか検出されるはずのない固有の特殊パターン信号が記録されている記録媒体から、前記同期信号を検出し、検出した同期信号に基づいて前記記録媒体から情報を再生する再生装置に用いられるコンピュータ用のプログラムであって、
コンピュータを、
前記同期信号をパターンサーチによって検出する直接検出モードと、前記所定クロック数に同期させた同期検出用窓を生成し、この同期検出用窓部分において前記同期信号を検出する慣性モードのいずれかにより、前記記録媒体の再生信号から前記同期信号を検出する同期信号検出手段と、
前記記録媒体の再生信号から前記第１の特殊信号を検出して第１の特殊信号検出フラグを出力する第１の特殊信号検出手段と、
前記記録媒体の再生信号から前記特殊パターン信号を検出して特殊パターン検出フラグを出力する特殊パターン検出手段と、
前記記録媒体の再生信号から前記第２の特殊信号を検出して第２の特殊信号検出フラグを出力する第２の特殊信号検出手段と、
前記第１の特殊信号検出手段からの前記第１の特殊信号検出フラグでリセットされ、前記特殊パターン検出フラグを計数する計数手段と、
前記計数手段の計数値が前記ｍである期間内に、前記第２の特殊信号検出フラグが入力されたときに、特定位置検出フラグを前記同期信号検出手段へ出力して該同期信号検出手段を前記慣性モードから前記直接検出モードへ移行させる特定位置検出手段と、
して機能させることを特徴とするプログラム。
【請求項１０】
前記直接検出モードへ移行した前記同期信号検出手段を、前記第１の特殊信号検出手段から前記第１の特殊信号検出フラグが供給されたときには、前記直接検出モードから前記慣性モードへ移行すると同時に、前記同期検出用窓の位置をフレームの最初の同期信号の推定位置に再設定することにより、前記ブロックの最初のフレーム以降の同期信号を前記慣性モードで検出する機能を前記コンピュータに実現させることを特徴とする請求項９記載のプログラム。
【請求項１１】
情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、前記ブロック内のうち、最初のセクタの前に第１の特殊信号が挿入されており、最後のセクタの後に前記同期信号のとり得るパターンの一つを有する第２の特殊信号が挿入されており、前記セクタの各々には該セクタ中に１回しか検出されるはずのない固有の特殊パターン信号が記録されている記録媒体から、前記同期信号を検出し、検出した同期信号に基づいて前記記録媒体から情報を再生する再生装置に用いられるコンピュータ用のプログラムであって、
コンピュータを、
前記記録媒体の再生信号を復号してデータ中に存在するセクタアドレスを抽出して出力するアドレス再生手段と、
前記記録媒体の再生信号から前記第１の特殊信号を検出して第１の特殊信号検出フラグを出力する第１の特殊信号検出手段と、
前記記録媒体の再生信号から前記第２の特殊信号を検出して第２の特殊信号検出フラグを出力する第２の特殊信号検出手段と、
前記同期信号をパターンサーチによって検出する直接検出モードと、前記所定クロック数に同期させた同期検出用窓を生成し、この同期検出用窓部分において前記同期信号を検出する慣性モードのいずれかにより、前記記録媒体の再生信号から前記同期信号を検出すると共に、前記アドレス再生手段から前記ブロックの最後のセクタを示すセクタアドレスが入力されているときに、前記第２の特殊信号検出フラグが供給された時は、前記慣性モードから前記直接検出モードに移行し、前記直接検出モードの状態で前記第１の特殊信号検出フラグが供給された時は、前記慣性モードに移行する同期信号検出手段と、
して機能させることを特徴とするブログラム。
【発明の詳細な説明】
【技術分野】
【０００１】
本発明は再生装置、再生方法及びブログラム並びに記録媒体に係り、特に光ディスクの記録媒体から再生された信号より、同期信号を検出すると共に、検出に失敗した場合は擬似同期信号を挿入する再生装置、再生方法及びブログラム並びに記録媒体に関する。
【背景技術】
【０００２】
光ディスクである各種のＤＶＤ（Ｄｉｇｉｔａｌ  Ｖｅｒｓａｔｉｌｅ  Ｄｉｓｃ）上に記録される情報は、ＥＣＣブロックをさらに分割して同期信号（ＳＹＮＣ）が先頭に付加された複数のフレームから構成される。フレーム長は一定であり、ＳＹＮＣは一定間隔で検出されるように記録されている。従って、ＤＶＤの再生に際しては、ＳＹＮＣは一定間隔で再生されるため、再生されるＳＹＮＣを単純なカウンタで計数してその周期を検出することで、次に再生されるべきＳＹＮＣの再生時間位置（次のＳＹＮＣの位置）を予想できる。
【０００３】
そこで、従来の再生装置では、図１５（Ａ）に示すように、その予想位置を中心とした所定幅のＳＹＮＣ検出用窓（以下、ウィンドウ（Ｗｉｎｄｏｗ）ともいう）を設置し、同図（Ｂ）に模式的に示す再生信号のフレームに同期して、同図（Ｃ）に示すようにＳＹＮＣ（実際には、ＳＹＮＣは複数ビットの固定パターンであるので、その検出フラグ）が検出されるが、同図（Ｃ）にIで示すＳＹＮＣ検出用窓外の検出ＳＹＮＣを無視して、同図（Ｄ）に示すように最終的なＳＹＮＣを出力することで、エラーによって間違ったＳＹＮＣが検出されても誤認を防ぐようにしている。また、本来、ＳＹＮＣが検出されるべきタイミングでＳＹＮＣが検出されないときには、図１５（Ｄ）にIIで示すように、最終的なＳＹＮＣ出力中に、擬似同期信号を挿入するようにしている。
また、従来の再生装置では、ウィンドウ内の同期信号の連続検出回数を所定値と比較して、連続検出回数が所定値に達した時に、ウィンドウ位置を定めるクロックのカウント値を補正することが行われる（特許文献１、特許文献２）。
【０００４】
更に、従来の再生装置が再生する光ディスクの記録フォーマットの一例として、図１６にその一部を示すように、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには同期信号が挿入された信号が記録されている光ディスク上の記録フォーマットがある。
【０００５】
同図において、１つのＥＣＣブロックは、セクタ０からセクタｍ−１までの全部でｍ個のセクタからなり、各セクタは、それぞれフレーム０からフレームｎ−１までの所定クロック数を有するｎ個のフレームからなり、各フレームは同期信号ＳＹとデータからなる。また、同期信号ＳＹのパターンは、連続した同期信号のパターンの組み合わせにより、ＩＤの連続性が検出できるように一定の規則に従って選ばれて記録されている。
【０００６】
このような記録フォーマットの光ディスクを再生する従来の再生装置では、安定に、同期信号より情報を抽出し、データを取り出すために、同期信号をパターンサーチによって検出する直接検出モード（以下、単に直接モードともいう）と、所定クロック数に同期させた同期検出用窓を生成し、その同期検出用窓部分において同期信号を読み出す慣性モードとのいずれかで動作するようにしている。
【０００７】
すなわち、図１７に示した状態遷移図の一例において、Ｓｃは直接検出モードの状態、Ｓｋは慣性モードの状態を示し、直接検出モードから慣性モードへ移行するための同期信号連続検出過程はＳｃ１〜Ｓｃ３で示すように３回、慣性モードから直接検出モードへ移行するための同期信号非連続検出過程はＳｋ１〜Ｓｋ３の３回である。直接検出モードの状態Ｓｃにおいて、連続して３回同期信号が検出されなければ、最初の状態Ｓｃに戻る。また、慣性モードの状態Ｓｋにおいて、連続して３回同期信号の非検出がないときは最初の慣性モードの状態Ｓｋに戻る。
【０００８】
【特許文献１】特開２００１−２４３７２７号公報
【特許文献２】特許第３２５６４９３号公報
【発明の開示】
【発明が解決しようとする課題】
【０００９】
しかし、図１６に示した記録フォーマットでは、図１６及び図１８（Ａ）に示すように、相隣る２つのＥＣＣブロックのつなぎ目において、同期信号が所定の周期で連続していないため、前記の従来の再生装置では、図１８（Ｂ）に示すように慣性モードのまま、あるＥＣＣブロックの最後のセクタｍ−１の最後のフレームｎ−１から次のＥＣＣブロックの最初のセクタ０の最初のフレーム０に向かうと、図１８（Ｅ）に示すように、ある程度擬似同期信号を出力した後、パターンサーチによって同期信号を読み出す直接検出モードに移行する。その後、この直接検出モードで図１８（Ｃ）に示す同期信号検出用窓内で、同図（Ｄ）に示すように、所定数連続的に同期信号ＳＹＮＣを検出できると、直接検出モードから再び慣性モードに移行する。
【００１０】
しかし、慣性モードから直接検出モードへの移行タイミングが、図１８（Ｂ）に模式的に示すように、セクタ０の中に入ってしまった場合、ＥＣＣブロックの先頭の重要なデータが正しく抽出できなくなってしまう。図１８（Ｂ）に模式的に示すように、慣性モードから直接検出モードへ移行すると、再生装置は、次のＥＣＣブロックの最初のセクタ０の最初のフレーム０で同期の再処理を行い、同図（Ｃ）に示す同期検出用窓内で連続して同期信号が検出された場合には慣性モードへ移り、同期情報検出用窓を確定するというのが通常の手順である。
【００１１】
しかし、直接検出モードへ移行して最初のセクタ０の最初のフレーム０で同期信号の再処理を行っているときには、図１９（Ｃ）に示すように、同期信号用検出窓の設定が行われていないため、非常に同期信号の誤検出に弱く、同図（Ｄ）にＸで示すように、同期信号が誤検出された場合は、誤検出された同期信号が同図（Ｅ）にＸ’で示すように、そのまま検出同期信号として出力されるため、慣性モードへの移行が遅れる。よって、定期的に同期信号の誤検出があれば、なかなか慣性モードへ移行できないことになる。また、処理上でもフレーム最初の同期信号であると分っているにも拘らず、窓の同期信号検出用窓の設定や同期信号の連続性の検出など、無駄な処理を行わねばならない。
【００１２】
また、従来の再生装置では、一般に１つ前に検出された同期信号からフレーム長分のビット数だけ経過した位置に次の同期信号が再生されると予想されるため同期信号検出用窓の位置は同期信号の再生予想位置を中心として設定されるが、その同期信号検出用窓内のどの位置に同期信号が検出されるかは分からないため、同期信号検出用窓が終わるまで擬似同期信号を挿入することはできない。このため、従来の再生装置では、同期信号検出用窓の終了時点で擬似同期信号を挿入するため、後段のＥＣＣ回路で通常の同期信号と擬似同期信号を区別する回路が必要となる。
【００１３】
本発明は以上の点に鑑みなされたもので、相隣る２つのＥＣＣブロックのつなぎ目で同期信号が途切れるようなフォーマットの信号を再生するに際し、後続のＥＣＣブロックの先頭のデータ再生の誤りを防止し得る再生装置、再生方法及びブログラム並びに記録媒体を提供することを目的とする。
【００１４】
また、本発明の他の目的は、同期信号検出用窓の位置をブロックの最初のフレームの同期情報の推定位置に再設定し得る同期検出回路を備えた再生装置、再生方法及びブログラム並びに記録媒体を提供することにある。
【００１５】
更に、本発明の他の目的は、擬似同期信号を通常の同期信号位置と同じ位置に挿入でき、もって、後段のＥＣＣ回路で通常の同期信号と擬似同期信号を区別する回路を不要とし得る再生装置、再生方法及びブログラム並びに記録媒体を提供することにある。
【課題を解決するための手段】
【００１６】
上記の目的を達成するため、本発明の再生装置は、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、ブロック内のうち、最初のセクタの前に第１の特殊信号が挿入されており、最後のセクタの後に同期信号のとり得るパターンの一つを有する第２の特殊信号が挿入されており、セクタの各々にはセクタ中に１回しか検出されるはずのない固有の特殊パターン信号が記録されている記録媒体から、同期信号を検出し、検出した同期信号に基づいて記録媒体から情報を再生する再生装置であって、
同期信号をパターンサーチによって検出する直接検出モードと、所定クロック数に同期させた同期検出用窓を生成し、この同期検出用窓部分において同期信号を検出する慣性モードのいずれかにより、記録媒体の再生信号から同期信号を検出する同期信号検出手段と、記録媒体の再生信号から第１の特殊信号を検出して第１の特殊信号検出フラグを出力する第１の特殊信号検出手段と、記録媒体の再生信号から特殊パターン信号を検出して特殊パターン検出フラグを出力する特殊パターン検出手段と、記録媒体の再生信号から第２の特殊信号を検出して第２の特殊信号検出フラグを出力する第２の特殊信号検出手段と、第１の特殊信号検出手段からの第１の特殊信号検出フラグでリセットされ、特殊パターン検出フラグを計数する計数手段と、計数手段の計数値がｍである期間内に、第２の特殊信号検出フラグが入力されたときに、特定位置検出フラグを同期信号検出手段へ出力する特定位置検出手段とを有し、同期信号検出手段は、特定位置検出手段から特定位置検出フラグが供給されたときは、慣性モードから直接検出モードへ移行する構成としたものである。
【００１７】
この発明では、計数手段の計数値がｍである期間は、一つのブロックの最終セ
クタ再生期間であるので、この期間内に第２の特殊信号検出フラグが入力された
ときには、一つのブロックの最後のセクタの後に同期信号のとり得るパターンの
一つを有する第２の特殊信号が挿入されているので、次のブロックの開始直前の
特定位置であると判断して、この特定位置のタイミングで同期信号検出手段を慣
性モードから直接検出モードへ移行させるようにしたため、慣性モードから直接
検出モードへの移行タイミングが次のブロックの最初のセクタ０の中に入ってし
まうことを防止できる。
【００１８】
また、上記の目的を達成するため、本発明の再生装置は、同期信号検出手段を、特定位置検出手段から特定位置検出フラグが供給されて慣性モードから直接検出モードへ移行した状態において、第１の特殊信号検出手段から第１の特殊信号検出フラグが供給されたときには、直接検出モードから慣性モードへ移行すると同時に、同期検出用窓の位置をフレームの最初の同期信号の推定位置に再設定することにより、ブロックの最初のフレーム以降の同期信号を慣性モードで検出する機能を更に有する構成としたものである。
【００１９】
この発明では、特定位置検出フラグの入力時に同期信号検出手段を慣性モードから直接検出モードへ移行した状態において、第１の特殊信号検出手段から第１の特殊信号検出フラグが供給されたときには、直接検出モードから慣性モードへ移行すると同時に、同期検出用窓の位置をフレームの最初の同期信号の推定位置に再設定するようにしたため、直接検出モードでは同期信号用検出窓の設定が行われていないため、非常に同期信号の誤検出に弱く、慣性モードへの移行が遅れ、また、処理上でもフレーム最初の同期信号であると分っているにも拘らず、窓の同期信号検出用窓の設定や同期信号の連続性の検出など、無駄な処理を行わねばならないが、第１の特殊信号検出フラグの入力時に強制的に慣性モードに移行できる。
【００２０】
また、本発明の再生装置は上記の目的を達成するため、同期信号検出手段を、記録媒体から再生された第１の再生信号を所定時間遅延して第２の再生信号を出力する遅延回路と、第１の再生信号用同期検出用窓内に第１の再生信号中の同期信号があるかどうか判定する第１の同期信号判定手段と、第２の再生信号用同期検出用窓内に第２の再生信号中の同期信号があるかどうか判定する第２の同期信号判定手段と、慣性モードにおいて第２の同期信号判定手段により検出された同期信号があると判定されたときには、その同期信号を出力し、第１の同期信号判定手段により検出された同期信号がないと判定されたときには所定のクロック数から推定される第２の再生信号中の同期信号の推定位置に一定回数擬似同期信号を挿入し、第１の同期信号判定手段により検出された同期信号があるときには、第２の再生信号中の同期信号の推定位置を過ぎても擬似同期信号を挿入しない同期信号出力手段とを有する構成としたものである。
【００２１】
この発明では、慣性モードにおいて遅延していない信号中に、同期検出用窓内に検出された同期信号がないときには、所定のクロック数から推定される遅延した再生信号中の同期信号の推定位置に一定回数、擬似同期信号を挿入するようにしたため、同期信号検出用窓の終了時点で擬似同期信号を挿入することにより、後段のＥＣＣ回路で通常の同期信号と擬似同期信号を区別する回路が必要となるという現象を防止できる。
【００２２】
また、上記の目的を達成するため、本発明の再生装置は、同期信号検出手段を、記録媒体から再生された第１の再生信号を所定時間遅延して第２の再生信号を出力する遅延回路と、第１の再生信号用同期検出用窓内に第１の再生信号中の同期信号があるかどうか判定する同期信号判定手段と、慣性モードにおいて同期信号判定手段により検出された同期信号があると判定されたときには、その同期信号を出力し、同期信号判定手段により検出された同期信号がないと判定されたときには所定のクロック数から推定される第２の再生信号中の同期信号の推定位置に一定回数擬似同期信号を挿入し、同期信号判定手段により検出された同期信号があるときには、第２の再生信号中の同期信号の推定位置を過ぎても擬似同期信号を挿入しない同期信号出力手段とを有する構成としたものである。
【００２３】
この発明では、第１の再生信号用の同期検出窓内で同期信号が検出されたかどうかの回路を備えた構成で、慣性モードにおいて遅延していない信号中に、同期検出用窓内に検出された同期信号がないときには、所定のクロック数から推定される遅延した再生信号中の同期信号の推定位置に一定回数、擬似同期信号を挿入するようにしたため、同期信号検出用窓の終了時点で擬似同期信号を挿入することにより、後段のＥＣＣ回路で通常の同期信号と擬似同期信号を区別する回路が必要となるという現象を防止できる。
【００２４】
また、上記の目的を達成するため、本発明の再生装置は、同期信号をパターンサーチによって検出する直接検出モードと、所定クロック数に同期させた同期検出用窓を生成し、この同期検出用窓部分において同期信号を検出する慣性モードのいずれかにより、記録媒体の再生信号から同期信号を検出する同期信号検出手段と、記録媒体の再生信号を復号してデータ中に存在するセクタアドレスを抽出して同期信号検出手段へ出力するアドレス再生手段と、記録媒体の再生信号から第１の特殊信号を検出して第１の特殊信号検出フラグを同期信号検出手段へ出力する第１の特殊信号検出手段と、記録媒体の再生信号から第２の特殊信号を検出して第２の特殊信号検出フラグを同期信号検出手段へ出力する第２の特殊信号検出手段とを有し、同期信号検出手段は、アドレス再生手段からブロックの最後のセクタを示すセクタアドレスが入力されているときに、第２の特殊信号検出フラグが供給された時は、慣性モードから直接検出モードに移行し、直接検出モードの状態で第１の特殊信号検出フラグが供給された時は、慣性モードに移行する構成としたものである。
【００２５】
この発明では、信号を変調する際、論理的若しくは物理的なアドレス（通し番号）がデータとして付加されている場合、アドレス再生手段により信号復号後にこのアドレスからブロックの最後のセクタを示すセクタアドレスが検出された時に、第２の特殊信号検出フラグが同期信号検出手段に供給された時は、慣性モードから直接検出モードに移行し、直接検出モードの状態で第１の特殊信号検出フラグが供給された時は、慣性モードに移行する。
【００２６】
また、上記の目的を達成するため、本発明の再生装置は、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、セクタの各々にはセクタ中に１回しか検出されるはずのない固有の特殊パターン信号が記録されている記録媒体から、同期信号を検出し、検出した同期信号に基づいて記録媒体から情報を再生する再生装置であって、同期信号をパターンサーチによって検出する直接検出モードと、所定クロック数に同期させた同期検出用窓を生成し、この同期検出用窓部分において同期信号を検出する慣性モードのいずれかにより、記録媒体の再生信号から同期信号を検出する同期信号検出手段と、記録媒体の再生信号を復号してデータ中に存在するセクタアドレスを抽出して同期信号検出手段へ出力するアドレス再生手段と、記録媒体の再生信号から特殊パターン信号を検出して特殊パターン検出フラグを出力する特殊パターン検出手段と、同期信号検出手段により検出されたブロック中の最初のセクタ中の先頭フレームの同期信号の検出出力でリセットされると共に、特殊パターン検出フラグを計数する計数手段と、計数手段の計数値がｍとなった時点、又はアドレス再生手段からのブロック中の最後のセクタを示すセクタアドレス入力時点から一定時間経過後に同期信号検出手段を直接検出モードに制御し、直接検出モード状態を同期信号検出手段によりブロック中の最初のセクタ中の先頭フレームの同期信号が検出されるまで保持し、最初のセクタ中の先頭フレームの同期信号が検出された時点から慣性モードに移行制御する制御手段とを有する構成としたものである。
【００２７】
この発明では、計数手段の計数値がｍとなった時点、又はアドレス再生手段からのブロック中の最後のセクタを示すセクタアドレス入力時点から一定時間経過後に同期信号検出手段を直接検出モードに制御し、直接検出モード状態を同期信号検出手段によりブロック中の最初のセクタ中の先頭フレームの同期信号が検出されるまで保持し、最初のセクタ中の先頭フレームの同期信号が検出された時点から慣性モードに移行制御するようにしたため、第１及び第２の特殊信号が記録媒体に記録されていなくても、相隣る２つのブロックのつなぎ目の位置付近で、最適な同期信号検出処理ができる。
【００２８】
また、上記の目的を達成するため、本発明の再生方法は、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、ブロック内のうち、最初のセクタの前に第１の特殊信号が挿入されており、最後のセクタの後に同期信号のとり得るパターンの一つを有する第２の特殊信号が挿入されており、セクタの各々にはセクタ中に１回しか検出されるはずのない固有の特殊パターン信号が記録されている記録媒体から、同期信号を検出し、検出した同期信号に基づいて記録媒体から情報を再生する再生方法であって、
記録媒体の再生信号から第１の特殊信号を検出したときは第１の特殊信号検出フラグを出力し、第２の特殊信号を検出したときは第２の特殊信号検出フラグを出力する第１のステップと、記録媒体の再生信号から特殊パターン信号を検出して特殊パターン検出フラグを出力する第２のステップと、特殊パターン検出フラグを計数すると共に、第１の特殊信号検出フラグでリセットされる計数手段の計数値がｍである期間内に、第２の特殊信号検出フラグが入力されたときに、特定位置検出フラグを出力する第３のステップと、同期信号をパターンサーチによって検出する直接検出モードと、所定クロック数に同期させた同期検出用窓を生成し、この同期検出用窓部分において同期信号を検出する慣性モードのいずれかにより、記録媒体の再生信号から同期信号を検出する同期信号検出手段を、特定位置検出フラグが供給されたときは、慣性モードから直接検出モードへ移行するように制御する第４のステップとを含むことを特徴とする。
【００２９】
この発明では、計数手段の計数値がｍである期間は、一つのブロックの最終セクタ再生期間であるので、この期間内に第２の特殊信号検出フラグが入力されたときには、一つのブロックの最後のセクタの後に同期信号のとり得るパターンの一つを有する第２の特殊信号が挿入されているので、次のブロックの開始直前の特定位置であると判断して、この特定位置のタイミングで同期信号検出手段を慣性モードから直接検出モードへ移行させるようにしたため、慣性モードから直接検出モードへの移行タイミングが次のブロックの最初のセクタ０の中に入ってしまうことを防止できる。
【００３０】
また、本発明のプログラムは、上記の目的を達成するため、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、前記ブロック内のうち、最初のセクタの前に第１の特殊信号が挿入されており、最後のセクタの後に前記同期信号のとり得るパターンの一つを有する第２の特殊信号が挿入されており、前記セクタの各々には該セクタ中に１回しか検出されるはずのない固有の特殊パターン信号が記録されている記録媒体から、前記同期信号を検出し、検出した同期信号に基づいて前記記録媒体から情報を再生する再生装置に用いられるコンピュータ用のプログラムであって、コンピュータを、前記再生装置における同期信号検出手段と、第１の特殊信号検出手段と、特殊パターン検出手段と、第２の特殊信号検出手段と、計数手段と、特定位置検出手段として機能させることを特徴とする。
このプログラムによれば、次のブロックの開始直前の特定位置のタイミングで同期信号検出手段を慣性モードから直接検出モードへ移行させるようにしたため、再生装置が慣性モードから直接検出モードへの移行タイミングが次のブロックの最初のセクタ０の中に入ってしまうことを防止できる。
【００３１】
また、本発明のプログラムは、上記の目的を達成するため、同期信号検出手段と、アドレス再生手段と、第１の特殊信号検出手段と、第２の特殊信号検出手段とをコンピュータに機能させることを特徴とする。
【００３２】
また、上記の目的を達成するため、本発明の記録媒体は、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、ブロック内のうち、最初のセクタの前に第１の特殊信号が挿入されており、最後のセクタの後に同期信号のとり得るパターンの一つを有する第２の特殊信号が挿入されており、セクタの各々にはセクタ中に１回しか検出されるはずのない固有の特殊パターン信号が記録されていることを特徴とする。
【発明の効果】
【００３３】
以上説明したように、本発明によれば、相隣る２つのブロックのつなぎ目において同期信号の連続性が満たされない記録フォーマットの信号再生時に、計数手段の計数値がｍである期間内に第２の特殊信号検出フラグが入力されたときには、次のブロックの開始直前の特定位置であると判断して、この特定位置のタイミングで同期信号検出手段を慣性モードから直接検出モードへ移行させることにより、慣性モードから直接検出モードへの移行タイミングが次のブロックの最初のセクタ０の中に入ってしまうことを防止するようにしたため、慣性モードのまま擬似同期信号を所定の数だけ挿入することなく、次のブロックの先頭の重要なデータを正しく抽出することができ、安定した動作が可能となる。
また、本発明によれば、直接検出モードへ移行した状態において、第１の特殊信号検出フラグが供給されたときには、直接検出モードから慣性モードへ移行すると同時に、同期検出用窓の位置をフレームの最初の同期信号の推定位置に再設定するようにしたため、フレーム最初の同期信号であると分っているにも拘らず、窓の同期信号検出用窓の設定や同期信号の連続性の検出などの無駄な処理を行うことなく、同期信号用検出窓の設定が行われていないために非常に同期信号の誤検出に弱い直接検出モードから、同期信号の誤検出に強い慣性モードへ迅速に移行することができる。
また、本発明によれば、慣性モードにおいて遅延していない信号中に、同期検出用窓内に検出された同期信号がないときには、所定のクロック数から推定される遅延した再生信号中の同期信号の推定位置に一定回数、擬似同期信号を挿入することにより、同期信号検出用窓の終了時点で擬似同期信号を挿入することにより、後段のＥＣＣ回路で通常の同期信号と擬似同期信号を区別する回路が必要となるという現象を防止できる。
また、本発明によれば、第１の再生信号用の同期検出窓内で同期信号が検出されたかどうかの回路を備えた構成で、慣性モードにおいて遅延していない信号中に、同期検出用窓内に検出された同期信号がないときには、所定のクロック数から推定される遅延した再生信号中の同期信号の推定位置に一定回数、擬似同期信号を挿入するようにしたため、第１の再生信号を遅延した第２の再生信号用の同期検出用窓内に第２の再生信号中の同期信号があるかどうか判定する別の同期信号判定手段を不要にした簡単な回路構成により、後段のＥＣＣ回路で通常の同期信号と擬似同期信号を区別する回路が必要となるという現象を防止できる。
更に、本発明によれば、セクタアドレスが記録データ中に付加されている場合、再生信号からセクタアドレスを抽出し、そのセクタアドレスがブロック中の最後のセクタを示しているときにおいて、第２の特殊信号が検出されたとき、あるいは一定時間経過後に同期信号検出手段を直接検出モードに制御し、その後第１の特殊信号が検出されたとき、あるいはブロック中の最初のセクタ中の先頭フレームの同期信号が検出された時に、慣性モードに移行するようにしたため、慣性モードのまま擬似同期信号を所定の数だけ挿入することなく、次のブロックの先頭の重要なデータを正しく抽出することができ、安定した動作が可能となり、また、窓の同期信号検出用窓の設定や同期信号の連続性の検出などの無駄な処理を行うことなく、同期信号用検出窓の設定が行われていないために非常に同期信号の誤検出に弱い直接検出モードから、同期信号の誤検出に強い慣性モードへ迅速に移行することができる。更に、第１及び第２の特殊信号を用いないで、同期信号の正確な抽出による安定な再生動作もできる。
【発明を実施するための最良の形態】
【００３４】
次に、本発明の実施の形態について、図面と共に説明する。まず、本発明の記録媒体の一実施の形態について説明する。本発明の記録媒体の一実施の形態では、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、ブロック内のうち、最初のセクタの前に第１の特殊な信号が挿入されており、最後のセクタの後に同期信号のとり得るパターンの一つを有する第２の特殊な信号が挿入されている信号が記録された光ディスクである。
【００３５】
図１４は本発明の記録媒体の一実施の形態の記録フォーマットを示す。これは、図１６に示した従来の記録媒体の記録フォーマットとほぼ同様である。ただし、本発明の記録フォーマットでは、各フレームの同期信号が、１０種類以下のパターンより選択された信号であることと、第１の特殊信号Ｓ１がＥＣＣブロックの最初のセクタ０の前に挿入され、同期信号のとり得るパターンの一つを有する第２の特殊信号Ｓ２がＥＣＣブロックの最後のセクタｍ−１の後に挿入される点で、従来の記録フォーマットと大きく異なる。
【００３６】
すなわち、各フレームの同期信号は、同一ブロック内においても同一セクタ内においても、１０種類以下のパターンのいずれかであり、すべて異なる。例えば、１０種類のパターンをＳＹ０、ＳＹ１、ＳＹ２、・・・、ＳＹ９とすると、同一セクタ内でｎ個のフレームの各々の同期信号は、フレームＮｏ.０ではＳＹ０、フレームＮｏ.１ではＳＹ１、フレームＮｏ.２ではＳＹ２、フレームＮｏ.３ではＳＹ３、フレームＮｏ.４ではＳＹ３、フレームＮｏ.５ではＳＹ２などのように設定される。
【００３７】
このようにすることにより、同期信号パターンの連続性を見ることで、フレームＮｏ.を導くことができる。また、第１の特殊信号と第２の特殊信号は、上記の１０種類以下のパターンのいずれかが用いられる。更に、上記の「セクタ中に１回しか検出されるはずのない固有の特殊パターン信号」とは、例えば上記のＳＹ０であり、フレームＮｏ.０を示す信号であるが、同期信号とは異なる特別な信号であってもよい。また、セクタ中の２つ以上連続した同期信号の組み合わせは、１回しか検出されるはずのない組み合わせとなるようにされている。例えば、ＳＹ１とＳＹ２が連続して検出されるような組み合わせは、フレームＮｏ.２であることが検出されれば、それは同一セクタ中には一つしか登場しないから、セクタをカウントできる。
【００３８】
図１は本発明になる再生装置の第１の実施の形態のブロック図を示す。同図において、光ディスク１１は上記の本発明の記録媒体の記録フォーマットで情報信号が記録されており、相隣るＥＣＣブロックのつなぎ目付近のフォーマットを図２（Ａ）に示す。この光ディスク１１から公知の光学ヘッド１２により再生された再生信号は、同期信号検出手段１３に供給され、ここで慣性モード又は直接（検出）モードにより前記各フレームの同期信号（ＳＹＮＣ）が検出される。
【００３９】
また、上記の再生信号は、特殊パターン検出手段１４、第１の特殊信号検出手段１５、第２の特殊信号検出手段１６にそれぞれ供給される。特殊パターン検出手段１４は、各セクタに１回しか検出されるはずのない２つ以上連続した同期信号のパターンの組み合わせからなる固有パターンの特殊信号（セクタ固有信号）を検出する。特殊パターン検出手段１４により特殊信号が検出されたときに得られるフラグは、計数手段であるセクタカウンタ１７に供給されて計数される。従って、セクタカウンタ１７のカウント値は、再生信号中のセクタに同期してカウントアップしていく。
【００４０】
再生直後は、同期信号検出手段１３は、直接検出モードによりパターンサーチによって同期信号を検出して、現在の同期信号から仮の同期検出用窓を設定し、次に検出された同期信号が上記の仮の同期検出用窓の中であれば、その仮の同期検出用窓を同期検出用窓に決定し、仮の同期検出用窓の中に次に検出された同期信号が無い場合には、次の仮の同期検出用窓を設定する。
【００４１】
連続して一定回数、同期検出用窓内に同期信号が検出されたときは、慣性モードへ移行し、連続して一定回数同期検出用窓内に同期信号が検出されない場合は、直接検出モードの動作を継続する。
【００４２】
慣性モードでは、クロック数に同期させた同期検出用窓を確定し、窓外の同期信号は無視する。そして、同期検出用窓内に同期信号が検出される場合は同期検出用窓内の同期信号に合わせて、次の同期検出用窓を設定する。設定した次の同期検出用窓内に次の同期信号が検出されない場合は、擬似同期信号を挿入し、同期検出用窓は擬似同期信号に合わせて設定する。設定した同期検出用窓内に同期信号が検出されない状態が一定回数見つからない場合は直接モードへ移行する。
【００４３】
図２（Ｂ）は上記のモード状態を、同図（Ｃ）はセクタカウンタ１７のカウント値を、同図（Ｄ）は上記の同期検出用窓（ウィンドウ）を、同図（Ｅ）は検出された同期信号を、同図（Ｆ）は同期信号検出手段１３から出力される同期信号出力を示す。ＥＣＣブロックの最後のセクタｍ−１の直後の同期検出用窓内には同期信号が検出されないので、図２（Ｆ）にIIIで示すように擬似同期信号が出力される。
【００４４】
ここで、前述したように、ＥＣＣブロック同士のつなぎ目において、同期信号が連続していないフォーマットの再生時には、ＥＣＣブロックの区切りで直接検出モードに移行した後、同期信号の誤検出により慣性モードへの移行が遅れるという問題があり、また慣性モードへの移行が次のＥＣＣブロックの最初のセクタ０内であると、ＥＣＣブロックの先頭のデータが正しく抽出できないという問題がある。
【００４５】
そこで、この第１の実施の形態では、図１において、光学ヘッド１２から再生信号が入力される第１の特殊信号検出手段１５により第１の特殊信号Ｓ１が検出されたときには、その検出フラグに基づき、セクタカウンタ１７を図２（Ｃ）に示すように０にリセットする。その後、セクタカウンタ１７は、特殊パターン検出手段１４から特殊信号検出フラグを計数し、セクタカウンタ１７のカウント値は、再生信号中のセクタに同期してカウントアップしていく。
【００４６】
このセクタカウンタ１７のカウンタ値は、第２の特殊信号検出手段１６からの第２の特殊信号検出信号と共に特定位置判定手段１８に供給される。特定位置判定手段１８は、セクタカウンタ１７のカウント値が「ｍ」になると、１つのＥＣＣブロックはｍ個のセクタからなるので、ＥＣＣブロックの最後のセクタであると判断し、このときに第２の特殊信号検出手段１６から第２の特殊信号の検出フラグが供給されると、ＥＣＣブロックの最後のセクタｍ−１の直後の特定位置であると判定して、特定位置検出信号を同期信号検出手段１３に供給する。
【００４７】
同期信号検出手段１３は、特定位置検出信号が入力されると、図２（Ｂ）に示すように、慣性モードから直接検出モードに移行する。その後、同期信号検出手段１３は、第１の特殊信号検出手段１５から第１の特殊信号検出フラグが供給されると、図２（Ｂ）に示すように、直接検出モードから慣性モードへ移行する。同期信号検出手段１３から出力された同期信号出力は図１の再生回路１９に供給され、再生信号中のデータ抽出・復号等に用いられる。
【００４８】
このように、本実施の形態によれば、同期信号検出手段１３は、慣性モードのまま擬似同期信号を所定の数だけ挿入することなく、ＥＣＣブロックの終わりの部分にて、慣性モードから直接検出モードに移行するので、後続のＥＣＣブロックの先頭データに誤りを生ずることなく、安定した動作が可能となる。
【００４９】
また、本実施の形態によれば、ＥＣＣブロックの終りの部分で直接検出モードに移行してから同期信号を誤検出することによって生じる慣性モードへの移行の遅れは生じることなく、ＥＣＣブロックの最初のセクタ０の最初から慣性モードで動作するために、図２（Ｅ）にIVで示すように、最初のセクタ０の先頭フレーム０で同期信号を誤検出したとしても、それは同図（Ｄ）に示す同期検出窓の外であるので、同図（Ｆ）に示すように、誤検出された同期信号出力を排除でき、この結果、ＥＣＣブロックの先頭データも正しく再生することができる。
【００５０】
図３は本発明の再生装置の一実施の形態の動作を状態遷移で示したものである。同図において、Ｓｃは直接検出モードの状態、Ｓｋは慣性モードの状態を示し、直接検出モードから慣性モードへ移行するための同期信号連続検出過程はＳｃ１〜Ｓｃ３で示すように３回、慣性モードから直接検出モードへ移行するための同期信号非連続検出過程はＳｋ１〜Ｓｋ３の３回である。また、本実施の形態では、直接検出モードの状態Ｓｃにおいて、第１の特殊信号を検出したときには、慣性モードの状態Ｓｋに移行する。また、慣性モードの状態Ｓｋにおいて、第２の特殊信号を検出し、かつ、セクタカウンタ値０のときには、直接検出モードの状態Ｓｃに移行する。
【００５１】
次に、本発明の第２及び第３の実施の形態について説明する。上記の第１の実施の形態では、第１の特殊信号検出時に直接検出モードから慣性モードへ移行するようにしているが、慣性モードへの移行後、最初に検出されるフレームの同期信号から検出するために、同期検出用窓の設定を適切にする必要がある。そこで、この実施の形態では、第１の特殊信号検出時に直接検出モードから慣性モードへ移行すると共に、同期検出用窓の位置をＥＣＣブロックの最初のフレーム（セクタ０のフレーム０）の同期信号の推定位置に再設定するものである。このため、第２及び第３の実施の形態では、前記光ディスクから再生された信号Ａと信号Ａを時間Ｌだけ遅延させた信号Ｂの２つを用いる。後段のＥＣＣ回路では遅延させた信号Ｂを用いる。
【００５２】
図４は本発明になる再生装置の第２の実施の形態の要部のブロック図を示す。この図４は図１の同期信号検出手段１３内に設けられる。図４において、光ディスクから再生された第１の再生信号Ａは、ＳＹＮＣ検出回路２１に供給されて、各フレームの同期信号ＳＹＮＣが検出される。ここで、第１の再生信号Ａは図５（Ａ）にその一部が示されており、ＳＹＮＣ検出回路２１は、この再生信号Ａ中の同期信号ＳＹＮＣを検出して、図５（Ｂ）に示す如き第１のＳＹＮＣ検出フラグを出力する。この第１のＳＹＮＣ検出フラグは、図４の第１の判定回路２２に供給され、ここで慣性モードにおいて再生信号Ａから生成される図５（Ｃ）に示すウィンドウＡ内にあるかどうか判定される。
【００５３】
一方、図４において、第１の再生信号Ａは、Ｌ段のシフトレジスタ２３に供給されてＬクロック遅延され、第２の再生信号ＢとしてＳＹＮＣ検出回路２４に供給されて、各フレームの同期信号ＳＹＮＣが検出される。
【００５４】
ここで、上記のシフトレジスタ２３による遅延量ＬとウィンドウＡとＢのサイズ（時間幅）について図６と共に詳細に説明する。本実施の形態では、ウィンドウＡの最後がウィンドウＢの中央より前に来るように遅延量Ｌとウィンドウのサイズ２Ｍ＋１または２Ｍを決定する。ＬとＭの関係は以下の３つに分かれる。
【００５５】
（１）ウィンドウサイズが奇数（２Ｍ＋１）の場合
この場合は、図６（Ａ）に示すように、ウィンドウＡ及びＢはそれぞれサイズ１の中心幅と、その中心幅の左右対称にサイズＭずつの幅からなり、ウィンドウＡの最後がウィンドウＢの中央より前に来るようにするために、
Ｌ≧Ｍ＋１    ・・・・・    （ア）
の関係に設定される。
【００５６】
（２）ウィンドウサイズが偶数（２Ｍ）で予想ＳＹＮＣ位置の前にＭ、後にＭ−
１の場合
この場合は、図６（Ｂ）に示すように、ウィンドウＡ及びＢはそれぞれサイズ１の中心幅と、その中心幅の左右両側のうち左側のサイズＭ−１と、右側のサイズＭの幅からなり、ウィンドウＡの最後がウィンドウＢの中央より前に来るようにするためには、
Ｌ≧Ｍ＋１    ・・・・・    （イ）
の関係に設定される。
【００５７】
（３）ウィンドウサイズが偶数（２Ｍ）で予想ＳＹＮＣ位置前にＭ−１、後にＭの場合
この場合は、図６（Ｃ）に示すように、ウィンドウＡ及びＢはそれぞれサイズ１の中心幅と、その中心幅の左右両側のうち左側のサイズＭと、右側のサイズＭ−１の幅からなり、ウィンドウＡの最後がウィンドウＢの中央より前に来るようにするためには、
Ｌ≧Ｍ      ・・・・・    （ウ）
の関係に設定される。
【００５８】
上記の不等式を満足するように遅延量Ｌとウィンドウサイズを設定することで常にウィンドウＡの立下りが、ウィンドウＢのＳＹＮＣ予想位置（中心のサイズ１の位置）より前にくるようになる。
【００５９】
次に、本実施の形態の動作について、図７のフローチャートを併せ参照して説明する。ＳＹＮＣ検出回路２４は、シフトレジスタ２３からの再生信号Ｂ中の同期信号ＳＹＮＣを検出して、図５（Ｄ）に示す如き第２のＳＹＮＣ検出フラグを出力する。この第２のＳＹＮＣ検出フラグは、図４の第２の判定回路２５に供給され、ここで慣性モードにおいて再生信号Ｂから生成される図５（Ｅ）に示すウィンドウＢ内にあるかどうか判定される（図７のステップＳ１）。
【００６０】
第２の判定回路２５は図５（Ｄ）、（Ｅ）に示すように、ウィンドウＢ内に第２のＳＹＮＣ検出フラグが位置するときには、同図（Ｆ）に示すように、それをＳＹＮＣ検出フラグとして出力する（図７のステップＳ２）。しかし、擬似同期信号生成回路２６は、第２の判定回路２５によりウィンドウＢの予想ＳＹＮＣ位置にきたと判定したときに、第１の判定回路２２と第２の判定回路２５により、ウィンドウＡ及びＢのそれぞれにＳＹＮＣ検出フラグが存在しないときは、ウィンドウＢの予想ＳＹＮＣ位置に擬似同期信号を一定回数挿入する（図７のステップＳ１、Ｓ３、Ｓ４、Ｓ５）。また、ウィンドウＡで同期信号を検出できたときは、ウィンドウＢの予想ＳＹＮＣ位置を過ぎても、擬似同期信号を出力しない（図７のステップＳ１、Ｓ３、Ｓ４）。
【００６１】
これにより、本実施の形態によれば、慣性モードにおいて、同期検出用窓（ウィンドウＡ）で再生信号（信号Ａ）中の同期信号を検出できないときにのみ、所定のクロック数Ｌから推定される信号Ｂの予想ＳＹＮＣ位置に一定回数の擬似同期信号を挿入することができ、ウィンドウＡで同期信号を検出できたときは、信号Ｂの予想ＳＹＮＣ位置を過ぎても擬似同期信号を挿入しないようにできる。これにより、後段のＥＣＣ回路では、擬似同期信号と通常の同期信号とを区別することなく動作できる。
【００６２】
図８は本発明になる再生装置の第３の実施の形態の要部のブロック図を示す。この図８は図１の同期信号検出手段１３内に設けられる。図８中、図４と同一構成部分には同一符号を付し、その説明を省略する。図４に示した実施の形態では、信号Ａと信号Ｂがそれぞれ独立したＳＹＮＣ検出機構をもっていたが、この実施の形態は、信号ＡのみＳＹＮＣ検出機構を有する構成としたものである。
【００６３】
この実施の形態では、再生信号Ａと、この再生信号Ａを遅延回路でＬクロック遅延させた再生信号Ｂを用意し、信号Ａは同期検出用窓であるウィンドウＡを用いて同期信号の検出を行う。上記の遅延量ＬとウィンドウＡとＢのサイズとは、前記（ア）〜（ウ）に示した条件を満足するようにされている。
【００６４】
次に、図８の実施の形態の動作について図９のフローチャートと共に説明する。図８において、ＳＹＮＣ検出回路２１は、この再生信号Ａ中の同期信号ＳＹＮＣを検出して、図５（Ｂ）に示す如き第１のＳＹＮＣ検出フラグを出力する。この第１のＳＹＮＣ検出フラグは、図８の第１の判定回路２２に供給され、ここで慣性モードにおいて再生信号Ａから生成される図５（Ｃ）に示すウィンドウＡ内にあるかどうか判定される。
【００６５】
第１の判定回路２２は、ウィンドウＡ内にて同期信号を検出できたかどうか判定する（図９のステップＳ１１）。ウィンドウＡで同期信号が検出できた場合には、Ｌ段のシフトレジスタ３２により第１のＳＹＮＣ検出フラグを時間量Ｌだけ遅延させて、ウィンドウＢ上にＳＹＮＣ検出フラグを出力する（図９のステップＳ１２）。
【００６６】
第１の判定回路２２は、ウィンドウＡ内にて同期信号を検出できなかったときには、擬似同期信号生成回路３１はウィンドウＡの最後で擬似同期信号を出力する（図９のステップＳ１３、Ｓ１４）。ここで、ウィンドウＡの最後がウィンドウＢの中央より前にくるように設定されているので、信号ＢのＳＹＮＣ予想位置に擬似同期信号を出力することができる。この擬似同期信号はシフトレジスタ３２で時間量Ｌだけ遅延されて出力される。
【００６７】
ウィンドウＡ内にて同期信号を検出できたときには、ウィンドウＢのＳＹＮＣ予想位置を過ぎても擬似同期信号は挿入しない。これにより、後段のＥＣＣ回路では、擬似同期信号と通常の同期信号とを区別することなく動作できる。本実施の形態は、図４に示した信号Ａと信号Ｂは独立したＳＹＮＣ検出機構を持つ構成と比較して、構成が簡略化できるという利点がある。
【００６８】
次に、本発明の再生装置の第４の実施の形態について説明する。図１０は本発明になる再生装置の第４の実施の形態のブロック図を示す。同図中、図１と同一構成部分には同一符号を付し、その説明を省略する。図１０において、同期信号検出手段４１は、同期信号検出手段１３と同様に、同期信号をパターンサーチによって検出する直接検出モードと、所定クロック数に同期させた同期検出用窓を生成し、その同期検出用窓内に同期信号が再生されたときには、その同期信号を出力する慣性モードのうち、いずれか一方のモードで動作するが、同期信号検出手段１３と異なり、セクタカウンタの値と第２の特殊信号検出フラグの両方の値から特定位置を検出するのではなく、再生回路４２からのアドレス情報に基づいて特定位置を検出する。
【００６９】
すなわち、本実施の形態では、光ディスク１１には、論理的若しくは物理的なアドレス（通し番号）がデータとして付加されて記録されており、再生回路４２はこの再生信号を復号し、そのデータの中に存在するセクタアドレス情報を、同期信号検出手段４１に供給し、その動作モードを制御する点に特徴がある。
【００７０】
次に、本実施の形態の動作について、図１１のタイミングチャートを併せ参照して説明する。なお、図１１（Ｄ）、（Ｅ）及び（Ｆ）は図２（Ｄ）、（Ｅ）及び（Ｆ）と同一の信号である。図１１（Ａ）は図１０の光ディスク１１上の相隣るＥＣＣブロックのつなぎ目付近のフォーマットを示す。このフォーマットは図２（Ａ）に示したフォーマットと同一である。同期信号検出手段４１は、慣性モードの状態において、再生回路４２から図１１（Ｂ）に示すような再生信号中のセクタアドレスが供給され、このセクタアドレスがブロックの最後のセクタを示す「ｍ−１」であるときに、第２の特殊信号検出手段１６から第２の特殊信号Ｓ２の検出フラグが供給されると、図１１（Ｃ）に示すように、慣性モードから直接検出モードに移行する。
【００７１】
続いて、同期信号検出手段４１は、第１の特殊信号検出手段１５から第１の特殊信号Ｓ１の検出フラグが供給されると、図１１（Ｃ）に示すように、直接検出モードから慣性モードに移行する。
【００７２】
このように、本実施の形態によれば、同期信号検出手段４１は、セクタカウンタ１７を用いることなく、慣性モードのまま擬似同期信号を所定の数だけ挿入することなく、ＥＣＣブロックの終りの部分にて、慣性モードから直接検出モードに移行するので、後続のＥＣＣブロックの先頭データに誤りを生ずることなく、安定した動作が可能となる。
【００７３】
また、本実施の形態によれば、ＥＣＣブロックの終りの部分で直接検出モードに移行してから同期信号を誤検出することによって生じる慣性モードへの移行の遅れは生じることなく、ＥＣＣブロックの最初のセクタ０の最初から慣性モードで動作するために、図１１（Ｅ）にＩＶで示すように、最初のセクタ０の先頭フレーム０で同期信号を誤検出したとしても、それは同図（Ｄ）に示す同期検出窓の外であるので、同図（Ｆ）に示すように、誤検出された同期信号出力を排除でき、この結果、ＥＣＣブロックの先頭データも正しく再生することができる。
【００７４】
次に、本発明の再生方法の第１の実施の形態について説明する。図１２は本発明になる再生方法の第１の実施の形態のフローチャートを示す。本実施の形態はコンピュータプログラムに基づいて行われるもので、コンピュータは、前述した光ディスク１１の再生信号から前記第１の特殊信号を検出したときは第１の特殊信号検出フラグを出力し、前記第２の特殊信号を検出したときは第２の特殊信号検出フラグを出力する（ステップＰ１）。
【００７５】
次に、前記再生信号から前記特殊パターン信号を検出して特殊パターン検出フラグを出力し（ステップＰ２）、その特殊パターン検出フラグを計数する（ステップＰ３）。この計数値は第１の特殊信号検出フラグでリセットされるが、その計数値が一つのＥＣＣブロックのセクタ数ｍに等しい値である期間内に、第２の特殊信号検出フラグが入力されたときに、特定位置検出フラグを出力する。光ディスクの再生信号から同期信号を検出するコンピュータは、この特定位置検出フラグが供給されたときは、慣性モードから直接検出モードへ移行するように制御する（ステップＰ４）。
【００７６】
これにより、再生装置の第１の実施の形態と同様に、慣性モードのまま擬似同期信号を所定の数だけ挿入することなく、ＥＣＣブロックの終わりの部分にて、慣性モードから直接検出モードに移行するので、後続のＥＣＣブロックの先頭データに誤りを生ずることなく、安定した動作が可能となる。
【００７７】
次に、本発明の再生方法の第２の実施の形態について説明する。図１３は本発明になる再生方法の第２の実施の形態のフローチャートを示す。本実施の形態はコンピュータプログラムに基づいて行われるもので、再生信号から同期信号を検出するコンピュータは、慣性モードの状態において、前述した光ディスク１１の再生信号を復号する再生回路から再生信号中のセクタアドレスが供給され、このセクタアドレスがブロックの最後のセクタを示す「ｍ−１」であるか判定し（ステップＰ１１）、最後のセクタのとき第２の特殊信号を検出すると（ステップＰ１２）、慣性モードから直接検出モードに移行する（ステップＰ１３）。続いて、コンピュータは、第１の特殊信号を検出すると（ステップＰ１４）、直接検出モードから慣性モードに移行する（ステップＰ１５）。
【００７８】
このように、本実施の形態によれば、コンピュータは、慣性モードのまま擬似同期信号を所定の数だけ挿入することなく、ＥＣＣブロックの終りの部分にて、慣性モードから直接検出モードに移行するので、後続のＥＣＣブロックの先頭データに誤りを生ずることなく、安定した動作が可能となる。
【００７９】
なお、本発明は以上の実施の形態に限定されるものではなく、例えば図１０及び図１３に示した実施の形態では、セクタアドレスがＥＣＣブロックの最後のセクタであることを示し、かつ、第２の特殊信号Ｓ２が検出されたら、同期信号検出手段又はコンピュータの同期検出状態を慣性モードから直接検出モードとするように説明したが、これに限定されるものではなく、セクタカウンタ又はセクタアドレスがＥＣＣブロックの最後のセクタであることを示した場合は、一定の時間後に同期信号検出手段又はコンピュータの同期検出状態を慣性モードから直接検出モードとし、直接検出モードでフレーム０の先頭を示す同期信号が検出されたときに慣性モードに移行するように構成してもよい。
【００８０】
この場合は、第１及び第２の特殊信号を使用することなく、次のブロックの先頭の重要なデータを正しく抽出することができ、安定した動作が可能となる。また、本発明が適用される記録媒体は、光ディスク以外の記録媒体でも可能なことは勿論である。
【図面の簡単な説明】
【００８１】
【図１】本発明の再生装置の第１の実施の形態のブロック図である。
【図２】図１の動作説明用タイミングチャートである。
【図３】図１の状態遷移図である。
【図４】本発明の再生装置の第２の実施の形態の要部のブロック図である。
【図５】図４の動作説明用タイミングチャートである。
【図６】図４における信号遅延量Ｌとウィンドウ幅Ｍの関係を示す図である。
【図７】図４の動作説明用フローチャートである。
【図８】本発明の再生装置の第３の実施の形態のブロック図である。
【図９】図８の動作説明用フローチャートである。
【図１０】本発明の再生装置の第４の実施の形態のブロック図である。
【図１１】図１０の動作説明用タイミングチャートである。
【図１２】本発明の再生方法の第１の実施の形態のフローチャートである。
【図１３】本発明の再生方法の第２の実施の形態のフローチャートである。
【図１４】本発明の記録媒体の一実施の形態の記録フォーマットを示す図である。
【図１５】従来の再生方法の一例の動作説明用タイミングチャートである。
【図１６】記録再生信号のフォーマットの代表的なＥＣＣ、セクタ、フレーム構造の一例を示す図である。
【図１７】従来の再生装置の一例の状態遷移図である。
【図１８】従来の再生装置の同期検出説明用タイミングチャートである。
【図１９】従来の再生装置の同期検出説明用タイミングチャートの他の例である。
【符号の説明】
【００８２】
１１…光ディスク（記録媒体）、１２…光学ヘッド、１３，４１…同期信号検出手段、１４…特殊パターン検出手段、１５…第１の特殊信号検出手段、１６…第２の特殊信号検出手段、１７…セクタカウンタ（計数手段）、１８…特定位置検出手段、１９，４２…再生回路、２１，２４…ＳＹＮＣ検出回路、２２…第１の判定回路、２３，３２…シフトレジスタ、２５…第２の判定回路、２６，３１…擬似同期信号（ＳＹＮＣ）生成回路
【図１】
2008181668.tif 000003
【図２】
2008181668.tif 000004
【図３】
2008181668.tif 000005
【図４】
2008181668.tif 000006
【図５】
2008181668.tif 000007
【図６】
2008181668.tif 000008
【図７】
2008181668.tif 000009
【図８】
2008181668.tif 000010
【図９】
2008181668.tif 000011
【図１０】
2008181668.tif 000012
【図１１】
2008181668.tif 000013
【図１２】
2008181668.tif 000014
【図１３】
2008181668.tif 000015
【図１４】
2008181668.tif 000016
【図１５】
2008181668.tif 000017
【図１６】
2008181668.tif 000018
【図１７】
2008181668.tif 000019
【図１８】
2008181668.tif 000020
【図１９】
2008181668.tif 000021
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
情報記録領域が所定個数のブロックに分割され、各ブロックが複数のセクタに分割されており、各セクタは所定クロック数を有する複数のフレームに分割されており、各フレームには同期信号が挿入され、各前記ブロックにおいて最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した前記同期信号に基づいて前記記録媒体から情報を再生する再生装置であって、
前記同期信号をパターンサーチによって検出する直接検出モードと、前記所定クロック数に同期させた同期検出用窓を生成し、この同期検出用窓部分において前記同期信号を検出する慣性モードとのいずれかにより、前記記録媒体の第１の再生信号から前記同期信号を検出する同期信号検出手段と、
前記記録媒体の第１の再生信号から前記第１の特殊信号を検出して第１の特殊信号検出フラグを出力する第１の特殊信号検出手段と、
前記記録媒体の第１の再生信号から前記特殊パターン信号を検出して特殊パターン検出フラグを出力する特殊パターン検出手段と、
前記記録媒体の第１の再生信号から前記第２の特殊信号を検出して第２の特殊信号検出フラグを出力する第２の特殊信号検出手段と、
前記第１の特殊信号検出手段からの前記第１の特殊信号検出フラグでリセットされ、前記特殊パターン検出フラグを計数する計数手段と、
前記計数手段の計数値が所定の値である際に、前記第２の特殊信号検出フラグが入力されたときに、特定位置検出フラグを前記同期信号検出手段へ出力する特定位置検出手段と、
を有し、
前記同期信号検出手段は、
前記記録媒体から再生された第１の再生信号を所定時間遅延して第２の再生信号を出力する遅延回路と、
第１の再生信号用同期検出用窓内に前記第１の再生信号中の同期信号があるかどうか判定する第１の同期信号判定手段と、
第２の再生信号用同期検出用窓内に前記第２の再生信号中の同期信号の有無を判定する第２の同期信号判定手段と、
前記慣性モードにおいて、前記第１の同期信号判定手段により同期信号が検出されないと判定された際には前記所定クロック数から推定される前記第２の再生信号中の同期信号の推定位置に一定回数擬似同期信号を挿入し、前記第２の同期信号判定手段により同期信号が検出されたと判定された際にはその同期信号を出力し、前記第１の同期信号判定手段により同期信号が検出されたと判定された際には、前記擬似同期信号を挿入しない同期信号出力手段と、
を有することを特徴とする再生装置。
【請求項２】
情報記録領域が所定個数のブロックに分割され、複数のセクタに分割されており、各セクタは所定クロック数を有する複数のフレームに分割されており、各フレームには同期信号が挿入され、前記ブロック内のうち、最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した同期信号に基づいて前記記録媒体から情報を再生する再生装置であって、
前記同期信号をパターンサーチによって検出する直接検出モードと、前記所定クロック数に同期させた同期検出用窓を生成し、この同期検出用窓部分において前記同期信号を検出する慣性モードとのいずれかにより、前記記録媒体の第１の再生信号から前記同期信号を検出する同期信号検出手段と、
前記記録媒体の第１の再生信号から前記第１の特殊信号を検出して第１の特殊信号検出フラグを出力する第１の特殊信号検出手段と、
前記記録媒体の第１の再生信号から前記特殊パターン信号を検出して特殊パターン検出フラグを出力する特殊パターン検出手段と、
前記記録媒体の第１の再生信号から前記第２の特殊信号を検出して第２の特殊信号検出フラグを出力する第２の特殊信号検出手段と、
前記第１の特殊信号検出手段からの前記第１の特殊信号検出フラグでリセットされ、前記特殊パターン検出フラグを計数する計数手段と、
前記計数手段の計数値が所定の値である際に、前記第２の特殊信号検出フラグが入力されたときに、特定位置検出フラグを前記同期信号検出手段へ出力する特定位置検出手段と、
を有し、
前記同期信号検出手段は、
前記記録媒体から再生された第１の再生信号を所定時間遅延して第２の再生信号を出力する遅延手段と、
第１の再生信号用同期検出用窓内に前記第１の再生信号中の同期信号の有無を判定する同期信号判定手段と、
前記慣性モードにおいて、前記同期信号判定手段により同期信号が検出されないと判定された際には前記所定のクロック数から推定される前記第２の再生信号中の同期信号の推定位置に一定回数擬似同期信号を挿入し、前記同期信号判定手段により同期信号が検出されたと判定された際にはその同期信号を出力すると共に、前記第２の再生信号に前記擬似同期信号を挿入しない同期信号出力手段と、
を有することを特徴とする再生装置。
【請求項３】
前記各ブロックがｍ個（ｍは２以上の整数）のセクタに分割されており、特定位置判定手段は、前記計数手段の計数値が前記ｍである期間内に、前記第２の特殊信号検出フラグが入力されたときに、特定位置検出フラグを前記同期信号検出手段へ出力することを特徴とする請求項１又は２に記載の再生装置。
【請求項４】
前記各フレームに挿入されている同期信号は、１０種類以下のパターンから選択され、前記第２の特殊信号は、前記同期信号のとり得るパターンの一つを有することを特徴とする請求項１乃至請求項３のいずれか1項に記載の再生装置。
【請求項５】
前記同期信号検出手段は、前記特定位置検出手段から前記特定位置検出フラグが供給された際に、前記慣性モードから前記直接検出モードへ移行することを特徴とする請求項１乃至請求項４のいずれか1項に記載の再生装置。
【請求項６】
前記同期信号検出手段は、前記特定位置検出手段から前記特定位置検出フラグが供給されて前記慣性モードから前記直接検出モードへ移行した状態において、前記第１の特殊信号検出手段から前記第１の特殊信号検出フラグが供給されたときには、前記直接検出モードから前記慣性モードへ移行すると同時に、前記同期検出用窓の位置をフレームの最初の同期信号の推定位置に再設定し、前記ブロックの最初のフレーム以降の同期信号を前記慣性モードで検出することを特徴とする請求項１乃至請求項５のいずれか1項に記載の再生装置。
【請求項７】
情報記録領域が所定個数のブロックに分割され、各ブロックが複数のセクタに分割されており、各セクタは所定クロック数を有する複数のフレームに分割されており、各フレームには同期信号が挿入され、前記ブロックにおいて最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した同期信号に基づいて前記記録媒体から情報を再生する再生方法であって、
前記所定クロック数に同期させた同期検出用窓を生成し、この同期検出用窓部分において前記同期信号を検出する慣性モードにおける前記同期信号を検出方法として、
前記記録媒体の第1の再生信号から所定時間遅延した第２の再生信号を出力する第１のステップと、
前記第１の再生信号から同期信号を検出した際に第１の同期信号検出フラグを出力すると共に、前記第２の再生信号から同期信号を検出した際に第２の同期信号検出フラグを出力する第２のステップと、
前記第２の同期信号検出フラグの位置が第２の再生信号用同期検出用窓内にあるかないかを判定する第３のステップと、
前記第２の同期信号検出フラグの位置が第２の再生信号用同期検出用窓内にある場合、同期信号フラグを出力する第４のステップと、
前記第２の同期信号検出フラグの位置が第２の再生信号用同期検出用窓内になく、且つ、前記第１の同期信号検出フラグの位置が第１の再生信号用同期検出用窓内にある場合、同期信号フラグを出力する第５のステップと、
前記第２の同期信号検出フラグの位置が第２の再生信号用同期検出用窓内になく、且つ、前記第１の同期信号検出フラグの位置が第１の再生信号用同期検出用窓内にない場合、前記第２の再生信号中の同期信号の推定位置に擬似同期信号フラグを出力する第６のステップ６と、
を含むことを特徴とする再生方法。
【請求項８】
情報記録領域が所定個数のブロックに分割され、各ブロックが複数のセクタに分割されており、各セクタは所定クロック数を有する複数のフレームに分割されており、各フレームには同期信号が挿入され、前記ブロックにおいて最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した同期信号に基づいて前記記録媒体から情報を再生する再生方法であって、
前記所定クロック数に同期させた同期検出用窓を生成し、この同期検出用窓部分において前記同期信号を検出する慣性モードにおける前記同期信号を検出方法として、
前記記録媒体の第1の再生信号から所定時間遅延した第２の再生信号を出力する第１のステップと、
前記記録媒体の第１の再生信号から同期信号を検出した際に第１の同期信号検出フラグを出力する第２のステップと、
前記第１の同期信号検出フラグの位置が前記第１の再生信号用同期検出用窓内にあるかないかを判定する第３のステップと、
前記第１の同期信号検出フラグの位置が前記第１の再生信号用同期検出用窓内にある場合、前記第１の同期信号検出フラグの位置から所定時間遅延した位置に同期信号フラグを出力する第４のステップと、
前記第１の同期信号検出フラグの位置が前記第１の再生信号用同期検出用窓内にない場合、前記第１の再生信号用同期検出用窓が過ぎた位置から所定時間遅延した位置に擬似同期信号フラグを出力する第５のステップと、
を含むことを特徴とする再生方法。
【請求項９】
情報記録領域が所定個数のブロックに分割され、各ブロックが複数のセクタに分割されており、各セクタは所定クロック数を有する複数のフレームに分割されており、各フレームには同期信号が挿入され、前記ブロックにおいて最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した同期信号に基づいて前記記録媒体から情報を再生する再生装置に用いられるコンピュータ用のプログラムであって、
コンピュータを、
前記同期信号をパターンサーチによって検出する直接検出モードと、前記所定クロック数に同期させた同期検出用窓を生成し、この同期検出用窓部分において前記同期信号を検出する慣性モードとのいずれかにより、前記記録媒体の第１の再生信号から前記同期信号を検出する同期信号検出手段と、
前記記録媒体の第１の再生信号から前記第１の特殊信号を検出して第１の特殊信号検出フラグを出力する第１の特殊信号検出手段と、
前記記録媒体の第１の再生信号から前記特殊パターン信号を検出して特殊パターン検出フラグを出力する特殊パターン検出手段と、
前記記録媒体の第１の再生信号から前記第２の特殊信号を検出して第２の特殊信号検出フラグを出力する第２の特殊信号検出手段と、
前記第１の特殊信号検出手段からの前記第１の特殊信号検出フラグでリセットされ、前記特殊パターン検出フラグを計数する計数手段と、
前記計数手段の計数値が所定の値である際に、前記第２の特殊信号検出フラグが入力されたときに、特定位置検出フラグを前記同期信号検出手段へ出力する特定位置検出手段と、
を有し、
前記同期信号検出手段は、
前記記録媒体から再生された第１の再生信号を所定時間遅延して第２の再生信号を出力する遅延回路と、
第１の再生信号用同期検出用窓内に前記第１の再生信号中の同期信号があるかどうか判定する第１の同期信号判定手段と、
第２の再生信号用同期検出用窓内に前記第２の再生信号中の同期信号の有無を判定する第２の同期信号判定手段と、
前記慣性モードにおいて、前記第１の同期信号判定手段により同期信号が検出されないと判定された際には前記所定クロック数から推定される前記第２の再生信号中の同期信号の推定位置に一定回数擬似同期信号を挿入し、前記第２の同期信号判定手段により同期信号が検出されたと判定された際にはその同期信号を出力し、前記第１の同期信号判定手段により同期信号が検出されたと判定された際には、前記擬似同期信号を挿入しない同期信号出力手段と、
して機能させることを特徴とするプログラム。
【請求項１０】
情報記録領域が所定個数のブロックに分割され、各ブロックが複数のセクタに分割されており、各セクタは所定クロック数を有する複数のフレームに分割されており、各フレームには同期信号が挿入され、前記ブロック内のうち、最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した同期信号に基づいて前記記録媒体から情報を再生する再生装置に用いられるコンピュータ用のプログラムであって、
コンピュータを、
前記同期信号をパターンサーチによって検出する直接検出モードと、前記所定クロック数に同期させた同期検出用窓を生成し、この同期検出用窓部分において前記同期信号を検出する慣性モードとのいずれかにより、前記記録媒体の第１の再生信号から前記同期信号を検出する同期信号検出手段と、
前記記録媒体の第１の再生信号から前記第１の特殊信号を検出して第１の特殊信号検出フラグを出力する第１の特殊信号検出手段と、
前記記録媒体の第１の再生信号から前記特殊パターン信号を検出して特殊パターン検出フラグを出力する特殊パターン検出手段と、
前記記録媒体の第１の再生信号から前記第２の特殊信号を検出して第２の特殊信号検出フラグを出力する第２の特殊信号検出手段と、
前記第１の特殊信号検出手段からの前記第１の特殊信号検出フラグでリセットされ、前記特殊パターン検出フラグを計数する計数手段と、
前記計数手段の計数値が所定の値である際に、前記第２の特殊信号検出フラグが入力されたときに、特定位置検出フラグを前記同期信号検出手段へ出力する特定位置検出手段と、
を有し、
前記同期信号検出手段は、
前記記録媒体から再生された第１の再生信号を所定時間遅延して第２の再生信号を出力する遅延回路と、
第１の再生信号用同期検出用窓内に前記第１の再生信号中の同期信号の有無を判定する同期信号判定手段と、
前記慣性モードにおいて、前記同期信号判定手段により同期信号が検出されないと判定された際には前記所定のクロック数から推定される前記第２の再生信号中の同期信号の推定位置に一定回数擬似同期信号を挿入し、前記同期信号判定手段により同期信号が検出されたと判定された際にはその同期信号を出力すると共に、前記第２の再生信号に前記擬似同期信号を挿入しない同期信号出力手段と、
して機能させることを特徴とするプログラム。
【手続補正３】
【補正対象書類名】明細書
【補正対象項目名】０００１
【補正方法】変更
【補正の内容】
【０００１】
本発明は再生装置、再生方法及びブログラムに係り、特に光ディスクの記録媒体から再生された信号より、同期信号を検出すると共に、検出に失敗した場合は擬似同期信号を挿入する再生装置、再生方法及びブログラムに関する。
【手続補正４】
【補正対象書類名】明細書
【補正対象項目名】００１３
【補正方法】変更
【補正の内容】
【００１３】
本発明は以上の点に鑑みなされたもので、相隣る２つのＥＣＣブロックのつなぎ目で同期信号が途切れるようなフォーマットの信号を再生するに際し、後続のＥＣＣブロックの先頭のデータ再生の誤りを防止し得る再生装置、再生方法及びブログラムを提供することを目的とする。
【手続補正５】
【補正対象書類名】明細書
【補正対象項目名】００１４
【補正方法】変更
【補正の内容】
【００１４】
また、本発明の他の目的は、同期信号検出用窓の位置をブロックの最初のフレームの同期情報の推定位置に再設定し得る同期検出回路を備えた再生装置、再生方法及びブログラムを提供することにある。
【手続補正６】
【補正対象書類名】明細書
【補正対象項目名】００１５
【補正方法】変更
【補正の内容】
【００１５】
更に、本発明の他の目的は、擬似同期信号を通常の同期信号位置と同じ位置に挿入でき、もって、後段のＥＣＣ回路で通常の同期信号と擬似同期信号を区別する回路を不要とし得る再生装置、再生方法及びブログラムを提供することにある。
【手続補正７】
【補正対象書類名】明細書
【補正対象項目名】００１６
【補正方法】変更
【補正の内容】
【００１６】
上記の目的を達成するため、本発明の再生装置は、情報記録領域が所定個数のブロックに分割され、各ブロックが複数のセクタに分割されており、各セクタは所定クロック数を有する複数のフレームに分割されており、各フレームには同期信号が挿入され、各前記ブロックにおいて最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した前記同期信号に基づいて前記記録媒体から情報を再生する再生装置であって、前記同期信号をパターンサーチによって検出する直接検出モードと、前記所定クロック数に同期させた同期検出用窓を生成し、この同期検出用窓部分において前記同期信号を検出する慣性モードとのいずれかにより、前記記録媒体の第１の再生信号から前記同期信号を検出する同期信号検出手段と、前記記録媒体の第１の再生信号から前記第１の特殊信号を検出して第１の特殊信号検出フラグを出力する第１の特殊信号検出手段と、前記記録媒体の第１の再生信号から前記特殊パターン信号を検出して特殊パターン検出フラグを出力する特殊パターン検出手段と、前記記録媒体の第１の再生信号から前記第２の特殊信号を検出して第２の特殊信号検出フラグを出力する第２の特殊信号検出手段と、前記第１の特殊信号検出手段からの前記第１の特殊信号検出フラグでリセットされ、前記特殊パターン検出フラグを計数する計数手段と、前記計数手段の計数値が所定の値である際に、前記第２の特殊信号検出フラグが入力されたときに、特定位置検出フラグを前記同期信号検出手段へ出力する特定位置検出手段とを有し、前記同期信号検出手段は、前記記録媒体から再生された第１の再生信号を所定時間遅延して第２の再生信号を出力する遅延回路と、第１の再生信号用同期検出用窓内に前記第１の再生信号中の同期信号があるかどうか判定する第１の同期信号判定手段と、第２の再生信号用同期検出用窓内に前記第２の再生信号中の同期信号の有無を判定する第２の同期信号判定手段と、前記慣性モードにおいて、前記第１の同期信号判定手段により同期信号が検出されないと判定された際には前記所定クロック数から推定される前記第２の再生信号中の同期信号の推定位置に一定回数擬似同期信号を挿入し、前記第２の同期信号判定手段により同期信号が検出されたと判定された際にはその同期信号を出力し、前記第１の同期信号判定手段により同期信号が検出されたと判定された際には、前記擬似同期信号を挿入しない同期信号出力手段とを有する構成としたものである。
【手続補正８】
【補正対象書類名】明細書
【補正対象項目名】００１７
【補正方法】変更
【補正の内容】
【００１７】
上記の目的を達成するため、本発明の再生装置は、情報記録領域が所定個数のブロックに分割され、複数のセクタに分割されており、各セクタは所定クロック数を有する複数のフレームに分割されており、各フレームには同期信号が挿入され、前記ブロック内のうち、最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した同期信号に基づいて前記記録媒体から情報を再生する再生装置であって、前記同期信号をパターンサーチによって検出する直接検出モードと、前記所定クロック数に同期させた同期検出用窓を生成し、この同期検出用窓部分において前記同期信号を検出する慣性モードとのいずれかにより、前記記録媒体の第１の再生信号から前記同期信号を検出する同期信号検出手段と、前記記録媒体の第１の再生信号から前記第１の特殊信号を検出して第１の特殊信号検出フラグを出力する第１の特殊信号検出手段と、前記記録媒体の第１の再生信号から前記特殊パターン信号を検出して特殊パターン検出フラグを出力する特殊パターン検出手段と、前記記録媒体の第１の再生信号から前記第２の特殊信号を検出して第２の特殊信号検出フラグを出力する第２の特殊信号検出手段と、前記第１の特殊信号検出手段からの前記第１の特殊信号検出フラグでリセットされ、前記特殊パターン検出フラグを計数する計数手段と、前記計数手段の計数値が所定の値である際に、前記第２の特殊信号検出フラグが入力されたときに、特定位置検出フラグを前記同期信号検出手段へ出力する特定位置検出手段とを有し、前記同期信号検出手段は、前記記録媒体から再生された第１の再生信号を所定時間遅延して第２の再生信号を出力する遅延回路と、第１の再生信号用同期検出用窓内に前記第１の再生信号中の同期信号の有無を判定する同期信号判定手段と、前記慣性モードにおいて、前記同期信号判定手段により同期信号が検出されないと判定された際には前記所定のクロック数から推定される前記第２の再生信号中の同期信号の推定位置に一定回数擬似同期信号を挿入し、前記同期信号判定手段により同期信号が検出されたと判定された際にはその同期信号を出力すると共に、前記第２の再生信号に前記擬似同期信号を挿入しない同期信号出力手段とを有する構成としたものである。
【手続補正９】
【補正対象書類名】明細書
【補正対象項目名】００１８
【補正方法】変更
【補正の内容】
【００１８】
上記の目的を達成するため、本発明の再生装置は、前記各ブロックがｍ個（ｍは２以上の整数）のセクタに分割されており、特定位置判定手段は、前記計数手段の計数値が前記ｍである期間内に、前記第２の特殊信号検出フラグが入力されたときに、特定位置検出フラグを前記同期信号検出手段へ出力する構成としたものである。
【手続補正１０】
【補正対象書類名】明細書
【補正対象項目名】００１９
【補正方法】変更
【補正の内容】
【００１９】
上記の目的を達成するため、本発明の再生装置は、前記各フレームに挿入されている同期信号は、１０種類以下のパターンから選択され、前記第２の特殊信号は、前記同期信号のとり得るパターンの一つを有する構成としたものである。
【手続補正１１】
【補正対象書類名】明細書
【補正対象項目名】００２０
【補正方法】変更
【補正の内容】
【００２０】
上記の目的を達成するため、本発明の再生装置は、前記同期信号検出手段は、前記特定位置検出手段から前記特定位置検出フラグが供給された際に、前記慣性モードから前記直接検出モードへ移行する構成としたものである。
【手続補正１２】
【補正対象書類名】明細書
【補正対象項目名】００２１
【補正方法】変更
【補正の内容】
【００２１】
上記の目的を達成するため、本発明の再生装置は、前記同期信号検出手段は、前記特定位置検出手段から前記特定位置検出フラグが供給されて前記慣性モードから前記直接検出モードへ移行した状態において、前記第１の特殊信号検出手段から前記第１の特殊信号検出フラグが供給されたときには、前記直接検出モードから前記慣性モードへ移行すると同時に、前記同期検出用窓の位置をフレームの最初の同期信号の推定位置に再設定し、前記ブロックの最初のフレーム以降の同期信号を前記慣性モードで検出する構成としたものである。
【手続補正１３】
【補正対象書類名】明細書
【補正対象項目名】００２２
【補正方法】変更
【補正の内容】
【００２２】
上記の目的を達成するため、本発明の再生方法は、情報記録領域が所定個数のブロックに分割され、各ブロックが複数のセクタに分割されており、各セクタは所定クロック数を有する複数のフレームに分割されており、各フレームには同期信号が挿入され、各前記ブロックにおいて最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した前記同期信号に基づいて前記記録媒体から情報を再生する再生装置であって、前記記録媒体の再生信号を復号してデータ中に存在するセクタアドレスから、前記ブロックの最後のセクタを示すセクタアドレスを検出する第１のステップと、  前記記録媒体の再生信号から前記第２の特殊信号を検出して第２の特殊信号検出フラグを出力する第２のステップと、  前記同期信号をパターンサーチによって検出する直接検出モードと、前記所定クロック数に同期させた同期検出用窓を生成し、この同期検出用窓部分において前記同期信号を検出する慣性モードのいずれかにより、前記記録媒体の再生信号から前記同期信号を検出する同期信号検出手段を、前記ブロックの最後のセクタを示すセクタアドレスと前記第２の特殊信号検出フラグが共に供給されたときは、前記慣性モードから前記直接検出モードへ移行するように制御する第３のステップと、  前記記録媒体の再生信号から前記第１の特殊信号を検出して第１の特殊信号検出フラグを出力する第４のステップと、  前記直接検出モードで動作している前記同期信号検出手段を、前記第１の特殊信号検出フラグの入力により前記慣性モードへ移行する第５のステップとを含むことを特徴としたものである。
【手続補正１４】
【補正対象書類名】明細書
【補正対象項目名】００２３
【補正方法】変更
【補正の内容】
【００２３】
上記の目的を達成するため、本発明の再生方法は、情報記録領域が所定個数のブロックに分割され、各ブロックが複数のセクタに分割されており、各セクタは所定クロック数を有する複数のフレームに分割されており、各フレームには同期信号が挿入され、各前記ブロックにおいて最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した前記同期信号に基づいて前記記録媒体から情報を再生する再生装置であって、前記記録媒体の再生信号を復号してデータ中に存在するセクタアドレスから、前記ブロックの最後のセクタを示すセクタアドレスを検出する第１のステップと、
前記記録媒体の再生信号から前記特殊パターン信号を検出して特殊パターン検出フラグを出力する第２のステップと、前記同期信号検出手段により検出された前記ブロック中の最初のセクタ中の先頭フレームの同期信号の検出出力でリセットされると共に、前記特殊パターン検出フラグを計数する第３のステップと、前記計数手段の計数値が所定の値になった時点、又は前記アドレス再生手段からの前記ブロック中の最後のセクタを示すセクタアドレスが入力した時点から、一定時間経過後に前記同期信号検出手段を前記直接検出モードに移行する制御を行う第４のステップと、前記同期信号検出手段により前記ブロック中の最初のセクタ中の先頭フレームの同期信号が検出されるまで前記直接検出モード状態を保持し、前記最初のセクタ中の先頭フレームの同期信号が検出された時点から前記慣性モードに移行する第５のステップとを含むことを特徴としたものである。
【手続補正１５】
【補正対象書類名】明細書
【補正対象項目名】００２４
【補正方法】変更
【補正の内容】
【００２４】
本発明のプログラムは、上記目的を達成するため、情報記録領域が所定個数のブロックに分割され、各ブロックが複数のセクタに分割されており、各セクタは所定クロック数を有する複数のフレームに分割されており、各フレームには同期信号が挿入され、前記ブロック内のうち、最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した同期信号に基づいて前記記録媒体から情報を再生する再生装置に用いられるコンピュータ用のプログラムであって、コンピュータを前記同期信号をパターンサーチによって検出する直接検出モードと、前記所定クロック数に同期させた同期検出用窓を生成し、この同期検出用窓部分において前記同期信号を検出する慣性モードとのいずれかにより、前記記録媒体の再生信号から前記同期信号を検出する同期信号検出手段と、前記記録媒体の再生信号を復号してセクタアドレスを抽出し、前記同期信号検出手段へ出力するアドレス再生手段と、前記記録媒体の再生信号から前記第１の特殊信号を検出して第１の特殊信号検出フラグを前記同期信号検出手段へ出力する第１の特殊信号検出手段と、前記記録媒体の再生信号から前記第２の特殊信号を検出して第２の特殊信号検出フラグを前記同期信号検出手段へ出力する第２の特殊信号検出手段とを有し、前記同期信号検出手段は、前記慣性モードの状態で、前記アドレス再生手段で抽出されたセクタアドレスが前記ブロックの最後のセクタの際に、前記第２の特殊信号検出フラグが供給された場合、前記慣性モードから前記直接検出モードに移行する直接検出モード移行手段と、前記直接検出モードの状態で、前記第１の特殊信号検出フラグが供給された場合、前記慣性モードに移行する慣性モード移行手段として機能させることを特徴とする。
【手続補正１６】
【補正対象書類名】明細書
【補正対象項目名】００２５
【補正方法】変更
【補正の内容】
【００２５】
本発明のプログラムは、上記目的を達成するため、情報記録領域が所定個数のブロックに分割され、各ブロックが複数のセクタに分割されており、各セクタは所定クロック数を有する複数のフレームに分割されており、各フレームには同期信号が挿入され、各前記ブロックにおいて最初のセクタの前に第１の特殊信号が挿入されており、最後のセクタの後に第２の特殊信号が挿入されており、前記セクタには前記セクタ各々に固有の特殊パターン信号が記録されている記録媒体から、前記同期信号を検出し、検出した前記同期信号に基づいて前記記録媒体から情報を再生する再生装置であって、コンピュータを前記同期信号をパターンサーチによって検出する直接検出モードと、前記所定クロック数に同期させた同期検出用窓を生成し、この同期検出用窓部分において前記同期信号を検出する慣性モードとのいずれかにより、前記記録媒体の再生信号から前記同期信号を検出する同期信号検出手段と、前記記録媒体の再生信号を復号してセクタアドレスを抽出し、前記同期信号検出手段へ出力するアドレス再生手段と、前記記録媒体の再生信号から前記特殊パターン信号を検出して特殊パターン検出フラグを出力する特殊パターン検出手段と、前記同期信号検出手段により検出された前記ブロック中の最初のセクタ中の先頭フレームの同期信号の検出出力でリセットされると共に、前記特殊パターン検出フラグを計数する計数手段と、前記計数手段の計数値が所定の値になった時点、又は前記アドレス再生手段からの前記ブロック中の最後のセクタを示すセクタアドレスが入力した時点から、一定時間経過後に前記同期信号検出手段を前記直接検出モードに移行する制御を行うと共に、前記同期信号検出手段により前記ブロック中の最初のセクタ中の先頭フレームの同期信号が検出されるまで前記直接検出モード状態を保持し、前記最初のセクタ中の先頭フレームの同期信号が検出された時点から前記慣性モードに移行する制御を行う制御手段として機能させることを特徴とする。
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３４
【補正方法】変更
【補正の内容】
【００３４】
次に、本発明の実施の形態について、図面と共に説明する。まず、本発明で使用する記録媒体の一実施の形態について説明する。この記録媒体は、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームには１０種類以下のパターンより選択される同期信号が挿入され、ブロック内のうち、最初のセクタの前に第１の特殊な信号が挿入されており、最後のセクタの後に同期信号のとり得るパターンの一つを有する第２の特殊な信号が挿入されている信号が記録された光ディスクである。
【手続補正２５】
【補正対象書類名】明細書
【補正対象項目名】００３５
【補正方法】変更
【補正の内容】
【００３５】
図１４は本発明で使用する記録媒体の一実施の形態の記録フォーマットを示す。これは、図１６に示した従来の記録媒体の記録フォーマットとほぼ同様である。ただし、図１４の記録フォーマットでは、各フレームの同期信号が、１０種類以下のパターンより選択された信号であることと、第１の特殊信号Ｓ１がＥＣＣブロックの最初のセクタ０の前に挿入され、同期信号のとり得るパターンの一つを有する第２の特殊信号Ｓ２がＥＣＣブロックの最後のセクタｍ−１の後に挿入される点で、従来の記録フォーマットと大きく異なる。
【手続補正２６】
【補正対象書類名】明細書
【補正対象項目名】００３８
【補正方法】変更
【補正の内容】
【００３８】
図１は本発明になる再生装置の第１の実施の形態のブロック図を示す。同図において、光ディスク１１は上記の図１４に示した記録媒体の記録フォーマットで情報信号が記録されており、相隣るＥＣＣブロックのつなぎ目付近のフォーマットを図２（Ａ）に示す。この光ディスク１１から公知の光学ヘッド１２により再生された再生信号は、同期信号検出手段１３に供給され、ここで慣性モード又は直接（検出）モードにより前記各フレームの同期信号（ＳＹＮＣ）が検出される。
【手続補正２７】
【補正対象書類名】明細書
【補正対象項目名】００４３
【補正方法】変更
【補正の内容】
【００４３】
図２（Ｃ）は上記のモード状態を、同図（Ｂ）はセクタカウンタ１７のカウント値を、同図（Ｄ）は上記の同期検出用窓（ウィンドウ）を、同図（Ｅ）は検出された同期信号を、同図（Ｆ）は同期信号検出手段１３から出力される同期信号出力を示す。
【手続補正２８】
【補正対象書類名】明細書
【補正対象項目名】００４５
【補正方法】変更
【補正の内容】
【００４５】
そこで、この第１の実施の形態では、図１において、光学ヘッド１２から再生信号が入力される第１の特殊信号検出手段１５により第１の特殊信号Ｓ１が検出されたときには、その検出フラグに基づき、セクタカウンタ１７を図２（Ｂ）に示すように０にリセットする。その後、セクタカウンタ１７は、特殊パターン検出手段１４から特殊信号検出フラグを計数し、セクタカウンタ１７のカウント値は、再生信号中のセクタに同期してカウントアップしていく。
【手続補正２９】
【補正対象書類名】明細書
【補正対象項目名】００４７
【補正方法】変更
【補正の内容】
【００４７】
同期信号検出手段１３は、特定位置検出信号が入力されると、図２（Ｃ）に示すように、慣性モードから直接検出モードに移行する。その後、同期信号検出手段１３は、第１の特殊信号検出手段１５から第１の特殊信号検出フラグが供給されると、図２（Ｃ）に示すように、直接検出モードから慣性モードへ移行する。同期信号検出手段１３から出力された同期信号出力は図１の再生回路１９に供給され、再生信号中のデータ抽出・復号等に用いられる。
【手続補正３０】
【補正対象書類名】明細書
【補正対象項目名】００８１
【補正方法】変更
【補正の内容】
【００８１】
【図１】本発明の再生装置の第１の実施の形態のブロック図である。
【図２】図１の動作説明用タイミングチャートである。
【図３】図１の状態遷移図である。
【図４】本発明の再生装置の第２の実施の形態の要部のブロック図である。
【図５】図４の動作説明用タイミングチャートである。
【図６】図４における信号遅延量Ｌとウィンドウ幅Ｍの関係を示す図である。
【図７】図４の動作説明用フローチャートである。
【図８】本発明の再生装置の第３の実施の形態のブロック図である。
【図９】図８の動作説明用フローチャートである。
【図１０】本発明の再生装置の第４の実施の形態のブロック図である。
【図１１】図１０の動作説明用タイミングチャートである。
【図１２】本発明の再生方法の第１の実施の形態のフローチャートである。
【図１３】本発明の再生方法の第２の実施の形態のフローチャートである。
【図１４】本発明で使用する記録媒体の一実施の形態の記録フォーマットを示す図  である。
【図１５】従来の再生方法の一例の動作説明用タイミングチャートである。
【図１６】記録再生信号のフォーマットの代表的なＥＣＣ、セクタ、フレーム構造  の一例を示す図である。
【図１７】従来の再生装置の一例の状態遷移図である。
【図１８】従来の再生装置の同期検出説明用タイミングチャートである。
【図１９】従来の再生装置の同期検出説明用タイミングチャートの他の例である。
【手続補正３１】
【補正対象書類名】図面
【補正対象項目名】図２
【補正方法】変更
【補正の内容】
【図２】
2008181668.tif 000022
【手続補正３２】
【補正対象書類名】図面
【補正対象項目名】図１１
【補正方法】変更
【補正の内容】
【図１１】
2008181668.tif 000023